(57)【要約】【課題】端末装置間で汎用性の高い機能を用いて情報の送受信を容易に行うことが可能な通信システムを提供する。【解決手段】変換部４０１は、通信先または通信元の情報を含む通信情報を音声信号に変換する。出力部４０２は、記音声信号に応じた音声を出力する。取得部５０１は、第１装置４００が出力した音声を取得して音声信号に変換する。認識部５０２は、取得部５０１が取得した音声信号に対して音声認識処理を行うことで、音声信号を通信情報に変換する。【選択図】図６
2014165631.tif 000002
【特許請求の範囲】
【請求項１】
通信先または通信元の情報を含む通信情報を音声信号に変換する変換部と、
前記音声信号に応じた音声を出力する出力部と、
を有する第１装置と、
前記第１装置が出力した音声を取得して音声信号に変換する取得部と、
前記取得部が変換した音声信号に対して音声認識処理を行うことで、前記音声信号を前記通信情報に変換する認識部と、
を有する第２装置と、
を含む通信システム。
【請求項２】
前記第２装置は、
前記認識部が変換した通信情報を音声信号に変換する音声変換部と、
前記音声変換部が変換した音声信号に応じた音声を出力する音声出力部とをさらに有し、
前記第１装置は、
前記第２装置が出力した音声を取得して音声信号に変換する音声取得部と、
前記音声取得部が変換した音声信号に対して音声認識処理を行うことで、前記音声信号を前記通信情報に変換する音声認識部と、
前記音声認識部が変換した通信情報と、前記変換部が音声信号に変換した通信情報とを比較して比較結果を通知する制御部と、をさらに有する、請求項１に記載の通信システム。
【請求項３】
前記通信情報は、電話番号およびメールアドレスのうち少なくとも一方を含む、請求項１または２に記載の通信システム。
【請求項４】
前記第２装置は、
電話番号およびメールアドレスのうち少なくとも一方を含む電話帳データを記憶する記憶部と、
前記認識部が変換した前記通信情報を前記電話帳データに追加する管理部と、をさらに有する、請求項３に記載の通信システム。
【請求項５】
前記第１装置は、前記通信情報を暗号化して前記変換部に出力する制御部をさらに有し、
前記変換部は、前記暗号化された通信情報を音声信号に変換し、
前記第２装置は、前記認識部が取得した前記通信情報を復号化する制御部をさらに有する、請求項１ないし４のいずれか１項に記載の通信システム。
【請求項６】
通信先または通信元の情報を含む通信情報を音声信号に変換する変換部と、
前記音声信号に応じた音声を出力する出力部と、
外部の装置が出力した音声を取得して音声信号に変換する取得部と、
前記取得部が変換した音声信号に対して音声認識処理を行うことで、前記音声信号を通信情報に変換する認識部と、を備える情報処理装置。
【請求項７】
第１装置および第２装置を含む通信システムにおける通信方法であって、
前記第１装置が、
通信先または通信元の情報を含む通信情報を音声信号に変換し、
前記音声信号に応じた音声を出力し、
前記第２装置が、
前記第１装置が出力した音声を取得して音声信号に変換し、
前記変換した音声信号に対して音声認識処理を行うことで、前記音声信号を前記通信情報に変換する、通信方法。
【請求項８】
通信先または通信元の情報を含む通信情報を音声信号に変換する手順と、
前記音声信号に応じた音声を出力する手順と、
外部の装置が出力した音声を取得して音声信号に変換する手順と、
前記変換した音声信号に対して音声認識処理を行うことで、前記音声信号を通信情報に変換する手順と、をコンピュータに実行させるためのプログラム。
【発明の詳細な説明】
【技術分野】
【０００１】
本発明は、通信システム、情報処理装置、通信方法、およびプログラムに関する。
【背景技術】
【０００２】
近年、携帯電話やスマートフォンなどを初めとする様々な種類の端末装置が普及している。このような端末装置間において、一方の端末装置に記憶された情報（例えば、電話番号やメールアドレスなど連絡先の情報）を他方の端末装置に記憶させることがある。
【０００３】
連絡先の情報を交換する主な方法としては、口頭で伝えられたり画面に表示されたりし情報を手入力により登録する方法、および赤外線通信やＩＣ（Ｉｎｔｅｇｒａｔｅｄ  Ｃｉｒｃｕｉｔ）通信など端末装置間の直接通信を用いた方法などが挙げられる。
【０００４】
また特許文献１には、携帯電話機に記録された電話帳データを、ＤＴＭＦ（Ｄｕａｌ−Ｔｏｎｅ  Ｍｕｌｔｉ−Ｆｒｅｑｕｅｎｃｙ）信号に変換して他の携帯電話機に複写する方法が開示されている。
【先行技術文献】
【特許文献】
【０００５】
【特許文献１】特開２０００−４１１０１号公報
【発明の概要】
【発明が解決しようとする課題】
【０００６】
しかしながら、手入力を用いた方法では、打ち間違いが発生する可能性が高く、情報伝達の精度が確保できないため、手入力を用いずに端末装置間で情報を送受信することが望ましい。
【０００７】
端末装置間の直接通信を用いた方法、およびＤＴＭＦ信号を用いた方法では、手入力を用いずに端末装置間で情報を送受信することができる。
【０００８】
しかしながら、端末装置間の直接通信を用いた方法では、各端末装置が同じ通信方式に対応した通信デバイスを有している必要があり、各端末装置が同じ通信方式に対応した通信デバイスを有していない場合には情報を交換することができない。
【０００９】
また、端末装置間の直接通信を用いた方法においては、情報交換用のアプリケーションをダウンロードして用いる場合があるが、情報交換以外の用途がないアプリケーションを用いる場合、頻繁に情報交換を行わないユーザにとっては、アプリケーションをダウンロードして保存しておくことは煩わしい。また、アプリケーションによっては、利用できる端末装置の機種が限定されることもある。
【００１０】
また、ＤＴＭＦ信号を用いた方法では、ＤＴＭＦ信号に変換することができる文字が限られており、交換できる情報が限定されてしまうという問題があった。
【００１１】
本発明の目的は、端末装置間で汎用性の高い機能を用いて情報の送受信を容易に行うことが可能な通信システム、情報処理装置、通信方法、およびプログラムを提供することである。
【課題を解決するための手段】
【００１２】
本発明による通信システムは、
通信先または通信元の情報を含む通信情報を音声信号に変換する変換部と、
前記音声信号に応じた音声を出力する出力部と、
を有する第１装置と、
前記第１装置が出力した音声を取得して音声信号に変換する取得部と、
前記取得部が変換した音声信号に対して音声認識処理を行うことで、前記音声信号を前記通信情報に変換する認識部と、
を有する第２装置と、
を含む。
【００１３】
また本発明による情報処理装置は、
通信先または通信元の情報を含む通信情報を音声信号に変換する変換部と、
前記音声信号に応じた音声を出力する出力部と、
外部の装置が出力した音声を取得して音声信号に変換する取得部と、
前記取得部が変換した音声信号に対して音声認識処理を行うことで、前記音声信号を通信情報に変換する認識部と、を有する。
【００１４】
また、本発明による通信方法は、
第１装置および第２装置を含む通信システムにおける通信方法であって、
前記第１装置が、
通信先または通信元の情報を含む通信情報を音声信号に変換し、
前記音声信号に応じた音声を出力し、
前記第２装置が、
前記第１装置が出力した音声を取得して音声信号に変換し、
前記変換した音声信号に対して音声認識処理を行うことで、前記音声信号を前記通信情報に変換する。
【００１５】
また、本発明によるプログラムは、
通信先または通信元の情報を含む通信情報を音声信号に変換する手順と、
前記音声信号に応じた音声を出力する手順と、
外部の装置が出力した音声を取得して音声信号に変換する手順と、
前記変換した音声信号に対して音声認識処理を行うことで、前記音声信号を通信情報に変換する手順と、をコンピュータに実行させる。
【発明の効果】
【００１６】
本発明によれば、端末装置間で汎用性の高い機能を用いて情報の送受信を容易に行うことが可能である。
【図面の簡単な説明】
【００１７】
【図１】本発明の第１の実施形態にかかる通信システムの構成を示す図である。
【図２】同実施形態にかかる通信システムの動作例を説明するためのシーケンス図である。
【図３】本発明の第２の実施形態にかかる通信システムに含まれる端末装置の構成を示す図である。
【図４】同実施形態の端末装置を用いて電話帳データを交換する場合の端末装置の配置を説明するための図である。
【図５】同実施形態にかかる通信システムの動作例を説明するためのシーケンス図である。
【図６】本発明の第３の実施形態にかかる通信システムの構成を示す図である。
【図７】同実施形態にかかる通信システムの動作例を説明するためのシーケンス図である。
【発明を実施するための形態】
【００１８】
以下、本発明の実施形態について添付の図面を参照して説明する。なお、本明細書および図面において、同一の機能を有する構成要素については同じ符号を付することにより重複説明を省略する場合がある。
（第１の実施形態）
図１は、本発明の第１の実施形態にかかる通信システム１０の構成を示す図である。通信システム１０は、端末装置１００および端末装置２００を含む。
【００１９】
端末装置１００は、通信情報を外部の装置に送信する第１装置であり、例えば携帯電話、スマートフォン、ＰＣ（Ｐｅｒｓｏｎａｌ  Ｃｏｍｐｕｔｅｒ）、ゲーム機器、ナビゲーション装置、ＰＤＡ（Ｐｅｒｓｏｎａｌ  Ｄａｔａ  Ａｓｓｉｓｔａｎｔｓ）、音楽再生装置、および映像処理装置などの情報処理装置である。なおＰＣには、タブレット型ＰＣやノートＰＣなども含まれる。また映像処理装置には、カメラ、レコーダ、プレイヤなども含まれる。
【００２０】
図１に示される端末装置１００は、記憶部１０１と、音声変換部１０２と、スピーカ１０３と、操作部１０４と、表示部１０５と、制御部１０６とを有する。
【００２１】
記憶部１０１は、端末装置１００において用いられる各種の情報を記憶する。本実施形態では、記憶部１０１は、電話帳データを記憶する。電話帳データは、通信先または通信元の情報を示すテキストデータである通信情報を含む。具体的には、電話帳データは、通信情報として、人物や施設などの電話番号およびメールアドレスの少なくとも一方を含む。また電話帳データは、さらに人物や施設などの名称、住所、写真などを含んでもよい。端末装置２００に送信する通信情報は、この電話帳データに含まれる通信情報の少なくとも一部である。
【００２２】
音声変換部１０２は、入力されたテキストデータを音声信号に変換して制御部１０６に出力する。この音声信号は、テキストデータを読み上げた音声に応じた電気信号であり、例えば音声合成の技術を用いて生成される。本実施形態では、音声変換部１０２には、電話帳データに含まれるテキストデータである通信情報が入力されるものとする。このため、音声変換部１０２は、通信情報を音声信号に変換する。
【００２３】
スピーカ１０３は、音声信号に応じた音声を出力する出力部である。具体的には、スピーカ１０３は、音声変換部１０２が出力した音声信号を音声に変換して出力する。
【００２４】
操作部１０４は、ユーザの操作を検出し、その操作に応じた操作信号を出力する。操作部１０４は、例えば表示部１０５上に重畳されたタッチパネルや、端末装置１００の筐体に設けられたボタンなどである。本実施形態では、操作部１０４は、記憶部１０１に記憶された電話帳データの中から、端末装置２００に送信する通信情報を選択する選択操作を検出するものとする。
【００２５】
表示部１０５は、種々の情報を表示する。なお、表示部１０５は、例えば、液晶ディスプレイ装置や有機ＥＬ（Ｅｌｅｃｔｒｏ  Ｌｕｍｉｎｅｓｃｅｎｃｅ）ディスプレイ装置などである。
【００２６】
制御部１０６は、管理部と呼ばれることもある。制御部１０６は、端末装置１００を制御する。本実施形態では、制御部１０６は、記憶部１０１、音声変換部１０２、スピーカ１０３、操作部１０４、および表示部１０５などを制御する。
【００２７】
制御部１０６は、操作部１０４から選択操作に応じた操作信号を受け付け、その操作信号に応じて、記憶部１０１に記憶された電話帳データから通信情報を選択し、選択した通信情報を音声変換部１０２に出力する。制御部１０６は、音声変換部１０２が出力した音声信号をスピーカ１０３に出力する。
【００２８】
端末装置２００は、端末装置１００から通信情報を受信する第２装置である。端末装置２００は、端末装置１００と同様に、例えば携帯電話、スマートフォン、ＰＣ（Ｐｅｒｓｏｎａｌ  Ｃｏｍｐｕｔｅｒ）、ゲーム機器、ナビゲーション装置、ＰＤＡ（Ｐｅｒｓｏｎａｌ  Ｄａｔａ  Ａｓｓｉｓｔａｎｔｓ）、音楽再生装置、および映像処理装置などの情報処理装置である。
【００２９】
端末装置２００は、記憶部２０１と、マイクロフォン（以下、マイクと称する）２０２と、音声認識部２０３と、操作部２０４と、表示部２０５と、制御部２０６とを有する。
【００３０】
記憶部２０１は、端末装置２００において用いられる各種の情報を記憶する。本実施形態では、記憶部２０１は、電話帳データを記憶する。
【００３１】
マイク２０２は、音声を取得し、その取得した音声を音声信号に変換して出力する音声取得部である。本実施形態では、マイク２０２は、端末装置１００のスピーカ１０３から出力された音声を取得するものとする。
【００３２】
音声認識部２０３は、マイク２０２から出力された音声信号をテキストデータに変換する音声認識処理を行う。本実施形態では、音声認識部２０３に入力される音声信号は通信情報を変換して生成されたものであるため、音声認識部２０３は、音声信号に対して音声認識処理を行うことで、音声信号を通信情報に変換することになる。
【００３３】
操作部２０４は、ユーザの操作を検出し、その操作に応じた操作信号を出力する。操作部２０４は、例えば表示部２０５上に重畳されたタッチパネルや、端末装置２００の筐体に設けられたボタンなどである。本実施形態では、操作部２０４は、音声認識部２０３が出力した通信情報を電話帳データに追加するか否かを選択する操作を検出するものとする。
【００３４】
表示部２０５は、種々の情報を表示する。なお、表示部２０５は、例えば液晶ディスプレイ装置や有機ＥＬディスプレイ装置などである。本実施形態では、表示部２０５は、音声認識部２０３が出力した通信情報を表示する。
【００３５】
制御部２０６は、端末装置２００を制御する。本実施形態において、制御部２０６は、記憶部２０１、音声認識部２０３、マイク２０２、操作部２０４、および表示部２０５を制御する。
【００３６】
制御部２０６は、マイク２０２が音声信号を出力すると、この音声信号を受けて音声認識部２０３に出力する。音声認識部２０３が入力された音声信号に対して音声認識処理を行って通信情報を出力すると、制御部２０６は、この通信情報を記憶部２０１に記憶された電話帳データに追加する。
【００３７】
また、制御部２０６は、音声認識部２０３が通信情報を出力すると、この通信情報を表示部２０５に表示させることもできる。このとき、制御部２０６は、通信情報に加えて、通信情報を記憶部２０１に記憶させるか否かを選択するための操作ボタンを表示部２０５に表示させてもよい。
【００３８】
図２は、通信システム１０の動作例を説明するためのシーケンス図である。
【００３９】
操作部１０４は選択操作を検出し、その選択操作に応じた操作信号を制御部１０６に送信する。制御部１０６は、操作信号を受け付け、その操作信号に応じて、記憶部１０１に記憶された電話帳データの中から、端末装置２００に送信する通信情報を選択する（ステップＳ１００）。
【００４０】
続いて、制御部１０６は、表示部１０５に、端末装置１００と端末装置２００との配置を指示する画面を表示させる。具体的には、制御部１０６は、端末装置１００のスピーカ１０３と端末装置２００のマイク２０２とが向かい合う状態にするよう指示する画面を表示部１０５に表示させる（ステップＳ１０５）。
【００４１】
その後、制御部１０６は、選択した通信情報を音声変換部１０２に出力する。音声変換部１０２は、通信情報を受け付け、その通信情報を音声信号に変換して出力する（ステップＳ１１０）。
【００４２】
制御部１０６は、音声変換部１０２が出力した音声信号を受け付け、その音声信号をスピーカ１０３に出力する。スピーカ１０３は、音声信号を受け付け、その音声信号を音声に変換して出力する（ステップＳ１１５）。
【００４３】
一方、端末装置２００のマイク２０２は、端末装置１００が出力した音声を取得する。マイク２０２は、取得した音声を音声信号に変換して制御部２０６に出力する（ステップＳ１２０）。
【００４４】
制御部２０６は、マイク２０２が出力した音声信号を受け付け、その音声信号を音声認識部２０３に出力する。音声認識部２０３は、音声信号を受け付け、その音声信号に対して音声認識処理を行うことで、音声信号を通信情報に変換する。音声認識部２０３は、変換した通信情報を制御部２０６に出力する（ステップＳ１２５）。
【００４５】
制御部２０６は、音声認識部２０３が出力した通信情報を受け付け、その通信情報を記憶部２０１に記憶された電話帳データに追加する（ステップＳ１３０）。
【００４６】
以上説明したように本実施形態によれば、端末装置１００が、通信情報を音声信号に変換し、当該音声信号に応じた音声を出力すると、端末装置２００は、この音声を取得して音声信号に変換し、音声認識を行うことで通信情報を取得する。ここで通信情報を送受信するための機能は、テキストデータを音声信号に変換する機能、音声を出力する機能、音声を取得して音声信号に変換する機能、音声認識機能である。これらの機能はいずれも通信情報の送受信以外の用途にも用いられる汎用性の高い機能である。したがって、端末装置１００および端末装置２００間で汎用性の高い機能を用いて通信情報の送受信を容易に行うことが可能になる。
（第２の実施形態）
図３は、本発明の第２の実施形態にかかる通信システム２０に含まれる端末装置３００の構成を示す図である。
【００４７】
端末装置３００は、電話帳データに含まれる通信情報を外部の装置に出力する端末装置１００の機能と、端末装置１００が出力した通信情報を受信する端末装置２００の機能とを併せ持つ。
【００４８】
端末装置３００は、端末装置１００および端末装置２００と同様に、例えば携帯電話、スマートフォン、ＰＣ（Ｐｅｒｓｏｎａｌ  Ｃｏｍｐｕｔｅｒ）、ゲーム機器、ナビゲーション装置、ＰＤＡ（Ｐｅｒｓｏｎａｌ  Ｄａｔａ  Ａｓｓｉｓｔａｎｔｓ）、音楽再生装置、および映像処理装置などの情報処理装置である。
【００４９】
端末装置３００は、記憶部３０１と、音声変換部３０２と、スピーカ３０３と、マイク３０４と、音声認識部３０５と、操作部３０６と、表示部３０７と、制御部３０８とを有する。
【００５０】
記憶部３０１は、端末装置３００において用いられる各種の情報を記憶する。本実施形態では、記憶部３０１は、電話帳データを記憶する。
【００５１】
音声変換部３０２は、入力されたテキストデータを音声信号に変換して制御部３０８に出力する。本実施形態では、音声変換部３０２には、電話帳データに含まれるテキストデータである通信情報が入力されるため、音声変換部３０２は、通信情報を音声信号に変換する。
【００５２】
スピーカ３０３は、音声信号に応じた音声を出力する出力部である。具体的には、スピーカ３０３は、音声変換部３０２が出力した音声信号を音声に変換して出力する。
【００５３】
マイク３０４は、音声を取得し、その取得した音声を音声信号に変換して出力する音声取得部である。本実施形態では、マイク３０４は、外部の装置が出力した音声を取得するものとする。
【００５４】
音声認識部３０５は、マイク３０４から出力された音声信号をテキストデータに変換する音声認識処理を行う。本実施形態では、音声認識部３０５に入力される音声信号は、通信情報を変換して生成されたものであるため、音声認識部３０５は、音声信号に対して音声認識処理を行うことで、音声信号を通信情報に変換することになる。
【００５５】
操作部３０６は、ユーザの操作を検出し、その操作に応じた操作信号を出力する。操作部３０６は、例えば表示部３０７上に重畳されたタッチパネルや、端末装置３００の筐体に設けられたボタンなどである。本実施形態では、操作部３０６は、電話帳データ交換機能を起動する操作や、音声認識部３０５が出力した通信情報を電話帳データに追加するか否かを選択する操作などを検出するものとする。
【００５６】
表示部３０７は、例えば液晶ディスプレイ装置や有機ＥＬディスプレイ装置などである。本実施形態では、表示部３０７は、電話帳データの一覧画面を表示したり、音声認識部３０５が出力した通信情報を表示したりする。
【００５７】
制御部３０８は、端末装置３００を制御する。本実施形態において、端末装置３００は、記憶部３０１、音声変換部３０２、スピーカ３０３、マイク３０４、音声認識部３０５、操作部３０６、および表示部３０７を制御する。
【００５８】
制御部３０８は、電話帳データ交換機能を起動する操作に応じて操作部３０６が操作信号を出力すると、この操作信号に基づいて、記憶部３０１に記憶された電話帳データから通信情報を選択し、選択した通信情報を音声変換部３０２に出力する。また制御部３０８は、音声変換部３０２が出力した音声信号を受け付けると、この音声信号をスピーカ３０３に出力する。
【００５９】
また制御部３０８は、マイク３０４が音声信号を出力すると、この音声信号を受け付けて音声認識部３０５に出力する。音声認識部３０５がこの音声信号に基づいた音声認識処理を行うことで通信情報を出力すると、制御部３０８は、この通信情報を受け付けて、記憶部３０１に記憶された電話帳データに追加する。
【００６０】
また制御部３０８は、通信情報を音声として出力した後に、出力した音声が相手装置において正確に通信情報に復元されたか否かを確認する確認処理を行うこともできる。確認処理は、２台の端末装置３００が情報を送受信する過程で、通信情報から音声、音声から通信情報、通信情報から音声、音声から通信情報に変換し、最初に通信情報を音声として出力した端末装置３００が、最初の通信情報と最後の通信情報とを比較し、比較結果を通知することで行われる。比較結果の通知方法については様々考えられるが、例えば表示部３０７に比較結果を示す画面を表示させてもよいし、比較結果を音声出力してもよい。
【００６１】
図４は、図３に示す端末装置３００を２台用いた通信システム２０において、電話帳データを送受信する場合の端末装置３００の配置を説明するための図である。
【００６２】
２台の端末装置３００のうち、一方を端末装置３００Ａ、他方を端末装置３００Ｂと称する。また、以下の説明中において、端末装置３００Ａの記憶部３０１を記憶部３０１Ａ、端末装置３００Ｂの記憶部３０１を記憶部３０１Ｂのように、端末装置３００Ａおよび端末装置３００Ｂの各部の符号にＡまたはＢを付与することで、端末装置３００Ａおよび端末装置３００Ｂの各部を区別する。
【００６３】
端末装置３００Ａのスピーカ３０３Ａを端末装置３００Ｂのマイク３０４Ｂと接近させ、端末装置３００Ａのマイク３０４Ａを端末装置３００Ｂのスピーカ３０３Ｂと接近させる。このような配置とすることで、端末装置３００Ａがスピーカ３０３Ａから出力した音声を端末装置３００Ｂのマイク３０４Ｂで取得することが可能になり、端末装置３００Ｂがスピーカ３０３Ｂから出力した音声を端末装置３００Ａのマイク３０４Ａで取得することが可能になる。
【００６４】
したがって、端末装置３００Ａおよび端末装置３００Ｂを図４に示す配置とすることで、端末装置３００Ａおよび端末装置３００Ｂが電話帳データ中の通信情報を交換することができる。また、端末装置３００Ｂが、音声認識処理により取得した通信情報を再び音声として出力すると、端末装置３００Ａがこの音声を取得することができる。これにより、端末装置３００Ａは、取得した音声と出力した音声とに基づいて、端末装置３００Ａから端末装置３００Ｂに送信した通信情報が正確に認識されたか否かを確認する確認処理を行うことが可能になる。
【００６５】
以下に、この確認処理を実行する場合の通信システム２０の動作例について説明する。図５は、通信システム２０の動作例を説明するためのシーケンス図である。図５に示す動作例において、端末装置３００Ａは、通信情報である電話帳データを初めに送信する第１装置であり、端末装置３００Ｂは、第１装置が送信した電話帳データを受信する第２装置である。
【００６６】
操作部３０６Ａは、選択操作を検出し、その選択操作に応じた操作信号を制御部３０８Ａに出力する。制御部３０８Ａは、操作信号を受け付け、その操作信号に応じて、記憶部３０１に記憶された電話帳データの中から、端末装置３００Ｂに送信する通信情報を選択する（ステップＳ２００）。
【００６７】
続いて、制御部３０８Ａは、選択した通信情報を音声変換部３０２Ａに出力する。音声変換部３０２Ａは、通信情報を受け付け、その通信情報を音声信号に変換して制御部３０８Ａに出力する（ステップＳ２０５）。
【００６８】
その後、制御部３０８Ａは、音声変換部３０２Ａが出力した音声信号を受け付け、その音声信号をスピーカ３０３Ａに出力する。スピーカ３０３Ａは、音声信号を受け付け、その音声信号に応じた音声を出力する（ステップＳ２１０）。
【００６９】
一方、端末装置３００Ｂのマイク３０４Ｂは、端末装置３００Ａが出力した音声を取得する。マイク３０４Ｂは、取得した音声を音声信号に変換して制御部３０８Ｂに出力する（ステップＳ２１５）。
【００７０】
制御部３０８Ｂは、マイク３０４Ｂが出力した音声信号を受け付け、その音声信号を音声認識部３０５Ｂに出力する。音声認識部３０５Ｂは、音声信号を受け付け、その音声信号に対して音声認識処理を行うことで、音声信号を通信情報に変換する。音声認識部３０５Ｂは、変換した通信情報を制御部３０８Ｂに出力する（ステップＳ２２０）。
【００７１】
制御部３０８Ｂは、音声認識部３０５Ｂが出力した電話帳データを音声変換部３０２Ｂに出力する。音声変換部３０２Ｂは、電話帳データを受け付け、その電話帳データを再び音声信号に変換して制御部３０８Ｂに出力する（ステップＳ２２５）。
【００７２】
制御部３０８Ｂは、音声変換部３０２Ｂが出力した音声信号を受け付け、その音声信号をスピーカ３０３Ｂに出力する。スピーカ３０３Ｂは、音声信号を受け付け、その音声信号に応じた音声を出力する（ステップＳ２３０）。
【００７３】
端末装置３００Ａのマイク３０４Ａは、端末装置３００Ｂが出力した音声を取得する。マイク３０４Ａは、取得した音声を音声信号に変換して制御部３０８Ａに出力する（ステップＳ２３５）。
【００７４】
制御部３０８Ａは、マイク３０４Ａが取得した音声信号を受け付け、その音声信号を音声認識部３０５Ａに出力する。音声認識部３０５Ａは、音声信号を受け付け、その音声信号に対して音声認識処理を行うことで、音声信号を通信情報に変換する。音声認識部３０５Ａは、変換した通信情報を制御部３０８Ａに出力する（ステップＳ２４０）。
【００７５】
制御部３０８Ａは、音声認識部３０５Ａが出力した通信情報と、ステップＳ２００で選択した通信情報とを比較し、２つの通信情報が同一であるか否かを示す比較結果を生成する（ステップＳ２４５）。
【００７６】
制御部３０８Ａは、比較結果を表示部３０７Ａなどを用いて出力する（ステップＳ２５０）。
【００７７】
一方、端末装置３００Ｂは、ステップＳ２２０で認識した通信情報を記憶部３０１Ｂの電話帳データに追加するか否かを判断する。このとき端末装置３００Ｂの制御部３０８Ｂは、例えば表示部３０７Ｂなどを用いてステップＳ２２０で認識したテキストデータを表示するとともに、記録するか否かの選択入力を受け付ける画面を表示し、この画面が表示された状態で操作部３０６Ｂが検出する操作信号に応じて、通信情報を記憶部３０１Ｂの電話帳データに追加するか否かを判断する（ステップＳ２５５）。
【００７８】
認識した通信情報を電話帳データに追加すると判断された場合、制御部３０８Ｂは、通信情報を電話帳データに追加する（ステップＳ２６０）。
【００７９】
以上説明したように、本実施形態によれば、端末装置３００は、通信情報を音声信号に変換し、当該音声信号に応じた音声を出力する端末装置１００の機能と、端末装置１００が出力した音声を取得して音声信号に変換し、音声認識処理を行うことで通信情報を取得する端末装置２００の機能とを併せ持つ。これにより、２台の端末装置３００のスピーカ３０３とマイク３０４とを向かい合うように配置して、電話帳データを交換することが可能になる。
【００８０】
またさらに、第１装置である端末装置３００Ａから音声を取得した第２装置である端末装置３００Ｂは、音声を音声信号に変換して音声認識処理を行うことで取得した電話帳データを再び音声信号に変換することができる。そして端末装置３００Ａは、端末装置３００Ｂが出力した音声を音声信号に変換して音声認識処理を行うことで、通信情報を取得することが可能になる。これにより端末装置３００Ａは、初めに音声信号に変換した通信情報と、端末装置３００Ｂから受け付けた音声に基づいて取得した通信情報を比較して比較結果を通知する。したがって、端末装置３００Ａが出力した通信情報と、端末装置３００Ｂが認識した通信情報とが一致するか否かを判断する確認処理を行うことが可能になる。
（第３の実施形態）
図６は、本発明の第３の実施形態にかかる通信システム３０の構成を示す図である。
【００８１】
通信システム３０は、第１装置４００と第２装置５００とを含む。
【００８２】
第１装置４００は、音声変換部４０１と出力部４０２とを有する。
【００８３】
音声変換部４０１は、通信先または通信元の情報を含む通信情報を音声信号に変換する。
【００８４】
出力部４０２は、音声信号に応じた音声を出力する。
【００８５】
第２装置５００は、音声取得部５０１と音声認識部５０２とを有する。
【００８６】
音声取得部５０１は、第１装置４００が出力した音声を取得して音声信号に変換する。
【００８７】
音声認識部５０２は、音声取得部５０１が取得した音声信号に対して音声認識処理を行うことで、音声信号を通信情報に変換する。
【００８８】
図７は、通信システム３０の動作例を説明するためのシーケンス図である。
【００８９】
第１装置４００の音声変換部４０１は、通信情報を音声信号に変換する（ステップＳ３００）。そして出力部４０２は、音声信号に応じた音声を出力する（ステップＳ３０５）。
【００９０】
第２装置５００の音声取得部５０１は、第１装置４００が出力した音声を取得して音声信号に変換する（ステップＳ３１０）。
【００９１】
音声認識部５０２は、音声取得部５０１が取得した音声信号に対して音声認識処理を行うことで、音声信号を通信情報に変換する（ステップＳ３１５）。
【００９２】
以上説明したように本実施形態でも、第１装置４００が通信情報を音声信号に変換し、当該音声信号に応じた音声を出力すると、第２装置５００は、この音声を取得して音声信号に変換し、音声認識を行うことで通信情報を取得する。ここで通信情報を送受信するための機能は、テキストデータを音声信号に変換する機能、音声を出力する機能、音声を取得して音声信号に変換する機能、音声認識機能である。これらの機能はいずれも通信情報の送受信以外の用途にも用いられる汎用性の高い機能である。したがって、第１装置４００および第２装置５００間で汎用性の高い機能を用いて通信情報の送受信を容易に行うことが可能になる。
【００９３】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００９４】
例えば、上記実施形態では、通信情報のテキストデータを読み上げた音声をそのままスピーカが出力することとしたが、本発明はかかる例に限定されない。例えば第１装置は通信情報を暗号化した状態で送信し、第２装置は受信した音声を複合化してもよい。
【００９５】
第１の実施形態にかかる通信システム１０が暗号化した状態で通信情報を送受信する場合、制御部１０６は、通信情報を暗号化した後に音声変換部１０２に出力する。音声変換部１０２は、暗号化された通信情報を音声信号に変換して制御部１０６に出力する。制御部１０６は、音声信号を受け付け、その音声信号をスピーカ１０３に出力する。スピーカ１０３がこの音声信号に応じた音声を出力すると、暗号化された状態で通信情報が音声として出力されることになる。マイク３０４は、スピーカ１０３の出力した音声を取得して音声信号に変換し、制御部２０６に出力する。このときマイク３０４が出力した音声信号は暗号化された状態である。制御部２０６は音声信号を受け付け、その音声信号を複合化する。制御部２０６は、複合化した音声信号を音声認識部２０３に出力する。
【００９６】
これにより、通信情報が傍受されることを防ぎ、安全に通信情報を送受信することが可能になる。
【００９７】
また、上記実施形態では、電話帳データ交換機能を起動する操作は、電話帳データの一覧画面から特定の電話帳データを選択し、選択した電話帳データの送信を選択する操作としたが、本発明はかかる例に限定されない。例えば、電話帳データ交換機能を起動する操作は、特定のアイコンを選択する操作であってもよい。特定のアイコンに対して、第１装置のユーザの電話帳データが対応づけられていると、ユーザは、送信する電話帳データを選択する操作を行うことなく電話帳データ交換機能を起動することができる。
【００９８】
また、上記第２の実施形態では、端末装置３００Ａから端末装置３００Ｂへ通信情報を変換した音声信号に応じた音声を出力することとしたが、本発明はかかる例に限定されない。例えば、端末装置３００Ｂから端末装置３００Ａへ音声を出力してもよい。この場合、端末装置３００Ａから端末装置３００Ｂに音声を出力すると同時に端末装置３００Ｂから端末装置３００Ａへ音声を出力してもよいし、交互に音声を出力してもよい。また、端末装置３００Ｂから端末装置３００Ａに音声を出力する場合、端末装置３００Ａは、音声認識処理により通信情報を取得した後、この通信情報を再び音声信号に変換して音声を出力してもよい。端末装置３００Ｂは、端末装置３００Ａから出力された音声を用いて確認処理を行うことができる。
【符号の説明】
【００９９】
１００，２００，３００  端末装置
１０１，２０１，３０１  記憶部
１０２，３０２          音声変換部
１０３，３０３          スピーカ
１０４，２０４，３０６  操作部
１０５，２０５，３０７  表示部
２０２，３０４          マイク
２０３，３０５          音声認識部
【図１】
2014165631.tif 000003
【図２】
2014165631.tif 000004
【図３】
2014165631.tif 000005
【図４】
2014165631.tif 000006
【図５】
2014165631.tif 000007
【図６】
2014165631.tif 000008
【図７】
2014165631.tif 000009